(57)【要約】【課題】内掛け眼鏡フレームをフロントフレームにしっかり違和感無く着脱可能に取り付けるようにする事。【解決手段】内掛けフレーム（１０）に、左右のレンズを個々に保持する左右フレームを連結する弾性部材よりなるブリッジ部分（１３）を設け、該弾性ブリッジ部分は中央部を支点として左右フレーム端部を上方へ回転させる力が予め常時付勢されており、そして、前記内掛けフレームの左右フレーム端部とフロントフレーム内側端部には前記内掛けフレームの左右フレーム端部が上方に回転するのを押さえる係止手段（１６．１７．２３．２４）をそれぞれに設け、そして、前記フロントフレーム（２０）の中央ブリッジ（２５）には、前記内掛けフレームブリッジ部が下方に向う力を阻止する為の手段（２６）を設けた。【選択図】図８
2008292967.tif 000002
【特許請求の範囲】
【請求項１】
側部から後方に向かい対のテンプルを有するフロントフレームと、該フロントフレームに着脱可能に弾性を利用して取り付けられる内掛けフレームとの組合せ眼鏡であって、前記内掛けフレームは、左右のレンズを個々に保持する左右フレームを連結する弾性部材よりなるブリッジ部分を有し、該弾性ブリッジ部分は中央部を支点として左右フレーム端部を上方へ回転させる力が予め常時付勢されており、そして、前記内掛けフレームの左右フレーム端部とフロントフレーム内側端部には前記内掛けフレームの左右フレーム端部が上方に回転するのを押さえる係止手段がそれぞれに設けられ、そして、前記フロントフレームの中央ブリッジには、前記内掛けフレームブリッジ部が下方に向う力を阻止する為の手段が設けられた事を特徴とする組合せ眼鏡。
【請求項２】
前記内掛けフレームの弾性ブリッジが内掛けフレームの左右フレーム端部を下方に回転させるように予め常時付勢されており、そして、前記内掛けフレームの左右フレーム端部とフロントフレーム内側端部には前記内掛けフレームの左右フレーム端部が下方に回転するのを押さえる係止手段がそれぞれに設けられ、そして、前記フロントフレームの中央ブリッジには、前記内掛けフレームブリッジ部が上方に向う力を阻止する為の手段が設けられた事を特徴とする請求項１記載の組合せ眼鏡。
【請求項３】
前記請求項１又は２に記載の内掛けフレームが処方レンズ等の主レンズを装着し、複数のフロントフレームが交換可能に設けられた事を特徴とする眼鏡セット。
【請求項４】
前記請求項１又は２に記載の内掛けフレームが異なった種類の複数のレンズを有する交換可能な内掛けレンズセットとされ、少なくとも一台のフロントフレームに装着される事を特徴とする眼鏡セット。
【発明の詳細な説明】
【技術分野】
【０００１】  本発明は、フロントフレームと、その内側に着脱可能に取り付けられる内掛けフレームとの組合せ構造に関し、又その組合せ構造を利用した、相互に取替可能な眼鏡セットにも関する。
【背景技術】
【０００２】  従来、主フレーム又はフロントフレームに、前掛フレームや内掛けフレームをそのブリッジ部分の弾性を利用して付着させる技術は多く提案され且つ使用されてきている。例えば、登実３，０３２，８６２号（ブリッジ弾着式前掛フレーム）や、登実３，０３５，８３８号（眼鏡に着脱する補助グラス）等が知られている。【０００３】
【特許文献１】登録実用新案３，０３２，８６２号
【特許文献２】登録実用新案３，０３５，８３８号
【発明の開示】
【発明が解決しようとする課題】
【０００４】  しかしながら、上記登実登実３，０３２，８６２号に於いては、前掛けフレーム下部に取り付けられた引掛け部が凸部として視界の邪魔になり、外れ易く、折れ易く危険であった。又、いかにも前掛眼鏡という事が他人にも解り不自然で見栄えが悪かった。又、登実３，０３５，８３８号に於いては、中央ブリッジ部分に離反する方向に付勢するスライドバネが設けられている為にブリッジ部分が太くなり見栄えが悪かった。
【課題を解決するための手段】
【０００５】  そこで本発明に於いては、上記課題を解決する為に、側部から後方に向かい対のテンプルを有するフロントフレームと、該フロントフレームに着脱可能に弾性を利用して取り付けられる内掛けフレームとの組合せ眼鏡であって、前記内掛けフレームは、左右のレンズを個々に保持する左右フレームを連結する弾性部材よりなるブリッジ部分を有し、該弾性ブリッジ部分は中央部を支点として左右フレーム端部を上方へ回転させる力が予め常時付勢されており、そして、前記内掛けフレームの左右フレーム端部とフロントフレーム内側端部には前記内掛けフレームの左右フレーム端部が上方に回転するのを押さえる係止手段がそれぞれに設けられ、そして、前記フロントフレームの中央ブリッジには、前記内掛けフレームブリッジ部が下方に向う力を阻止する為の手段が設けられた組合せ眼鏡の提供をする。【０００６】  次に、前記内掛けフレームの弾性ブリッジが内掛けフレームの左右フレーム端部を下方に回転させるように予め常時付勢されており、そして、前記内掛けフレームの左右フレーム端部とフロントフレーム内側端部には前記内掛けフレームの左右フレーム端部が下方に回転するのを押さえる係止手段がそれぞれに設けられ、そして、前記フロントフレームの中央ブリッジには、前記内掛けフレームブリッジ部が上方に向う力を阻止する為の手段が設けられた組合せ眼鏡の提供も図った。【０００７】  そして、前記内掛けフレームが処方レンズ等の主レンズを装着し、複数のフロントフレームが交換可能に設けられた眼鏡のセットの提供も図った。【０００８】  更に、前記内掛けフレームが異なった種類の複数のレンズを有する交換可能な内掛けレンズセットとされ、少なくとも一台のフロントフレームに装着される眼鏡セットの提供も図った。
【発明の効果】
【０００９】  本発明によると、眼鏡前面周囲に余分な凸部が無く視界がスッキリし、見栄えも良く、しっかりと内掛けフレームが保持されるので離れ難く安全である。上記簡単な着脱機能を有する本構造を採る事により、レンズ交換眼鏡セットとして、又はフレーム交換眼鏡セットとして違和感が無くワンタッチで使用可能となった。
【発明を実施するための最良の形態】
【００１０】  側部から後方に向かい対のテンプルを有するフロントフレームと、該フロントフレームに着脱可能に弾性を利用して取り付けられる内掛けフレームとの組合せ眼鏡であって、前記内掛けフレームは、左右のレンズを個々に保持する左右フレームを連結する弾性部材よりなるブリッジ部分を有し、該弾性ブリッジ部分は中央部を支点として左右フレーム端部を上方へ回転させる力が予め常時付勢されており、そして、前記内掛けフレームの左右フレーム端部とフロントフレーム内側端部には前記内掛けフレームの左右フレーム端部が上方に回転するのを押さえる係止手段がそれぞれに設けられ、そして、前記フロントフレームの中央ブリッジには、前記内掛けフレームブリッジ部が下方に向う力を阻止する為の手段が設けられた組合せ眼鏡及びそれを利用した眼鏡セット。
【実施例１】
【００１１】  図１は、本発明の実施例１の内掛けフレーム１０の正面図であり、左右のレンズＬを個々に装備する左右フレーム１１，１２を連結する弾性部材よりなるブリッジ部分１３を有する様に設けられている。前記弾性ブリッジ部分１３は、従来（二点鎖線で表示）Ａの状態でであるが、本発明の場合は、両端部１４，１５が上方に回転するか又は跳ね上がっている状態Ｂとなるように、予め常時付勢された状態にされている。そして、前記内掛けフレーム１０の両端部１４，１５には係止用の手段１６，１７がそれぞれに設けられている。【００１２】  図２は本発明の実施例１のフロントフレーム２０の要部背面図であり、前面開口部２８はレンズが入っていても、入っていなくてもどちらの場合も使用可能である。そして前記フロントフレーム２０の左右端部２１，２２には前記内掛けフレーム１０の係止用手段１６，１７に嵌合又は係止させる為の手段２３，２４がそれぞれに設けられている。そして、ブリッジ部２５には、前記内掛けフレーム１０のブリッジ部１３が下方に向う力を阻止する為の手段２６が設けられている。【００１３】  図３、４，５は本発明の内掛けフレーム１０をフロントフレーム２０に取り付け組立てる場合の説明用要部拡大背面図であり、先ず図３の様に、フロントフレーム２０の係止させる為の手段２３に内掛けフレームの係止用手段１６を上方又は斜め上方から嵌め込む。そして、矢印Ｄの様に内掛けフレーム１０を回転させ、図４の様に、フロントフレーム２０の反対側の端部２２の係止させる為の手段２４に下方から内掛けフレームの端部の係止用手段１７を嵌め込む。そして、図５の様に、中央ブリッジ部２５には、内掛けフレーム１０の弾性ブリッジ１３が下方に動かない様にする係止されるための手段２６が設けられた構造となっている。両端部と中央部でかなり強い力でしっかり嵌合しているので落としても簡単に外れる事はない構造となっている。しかし、外す時は人為的に比較的簡単に道具を使用しなくてもスナップ動作で外す事が可能である。【００１４】  又、上記それぞれの係止用の手段及び係止されるための手段は、図に示された構造のみにこだわるものではなく、図６，７に示した如く、半円形状、鉤状形状でも良く、デザイン的な変化は可能である。【００１５】  図８は、実施例１の内掛けフレーム１０をフロントフレーム２０に取り付ける際の全体背面図であり、先ず係止用の手段１６，１７や、フロントフレームの係止させる為の手段２３，２４が前面から見えないので見栄えが良い、そして視野の邪魔にもならないので視野も良好で、他人には一枚の眼鏡を掛けている様にしか見えないのでデザインもスッキリする。【００１６】  図９，１０は本発明の実施例２の内掛けフレーム１０ａとフロントフレーム２０ａの背面図であり、この場合は、前記内掛けフレーム１０ａの弾性ブリッジ１３ａが内掛けフレームの左右フレーム端部１４ａ，１５ａを下方に回転させるように予め常時付勢されており、そして、前記内掛けフレームの左右フレーム端部とフロントフレーム内側端部には前記内掛けフレームの左右フレーム端部が下方に回転するのを押さえる係止手段１６ａ，１７ａ，２３ａ．２４ａがそれぞれに設けられ、そして、前記フロントフレームの中央ブリッジ２５ａには、前記内掛けフレームブリッジ部が上方に向う力を阻止する為の手段２６ａが設けられた構造となっている。【００１７】  更に詳しく説明すると、実施例２は実施例１の逆であり、図１１の様に、内掛けフレームの係止手段１６ａをフロントフレームの係止される手段２３ａに嵌合し、そして次に図１３の様に、反対側の端部のフロントフレームの係止される手段２４ａにこの場合は、実施例１とは逆に上から内掛けフレームの係止手段１７ａを嵌合させる。そして、図１２の様にフロントフレーム２０ａの係止される手段２６ａに内掛けフレームの弾性ブリッジ１３ａが上方に跳ねない様に下方から嵌合する。こうする事により実施例１の場合と同様にしっかりフロントフレームに内掛けフレームが強固に着脱自在に嵌合可能となる。【００１８】  そして図１４は、請求項３に関する本発明の内掛けフレーム１０ｂが処方レンズ等の主レンズを装着し、複数のフロントフレーム２０ｂ、２０ｃ、２０ｄ等としてが交換可能に設けられた眼鏡セットとして提供される様子を表している。【００１９】  図１５は、請求項４に関する本発明の内掛けフレーム１０ｃ、１０ｄとして異なった種類の複数のレンズを有する交換可能な内掛けレンズセットとされ、少なくとも一台のフロントフレーム２０ｅに装着された眼鏡セットとして提供可能とされる模式図である。
【図面の簡単な説明】
【００２０】
【図１】本発明の実施例１の内掛けフレームの正面図
【図２】本発明の実施例１のフロントフレームの背面図
【図３】本発明の実施例１の要部拡大図
【図４】本発明の実施例１の要部拡大図
【図５】本発明の実施例１の要部拡大図
【図６】本発明の実施例の変化例図
【図７】本発明の実施例の変化例図
【図８】本発明の実施例の全体背面図
【図９】本発明の実施例２の内掛けフレームの背面図
【図１０】本発明の実施例２のフロントフレーム背面図
【図１１】本発明の実施例２の要部拡大背面図
【図１２】本発明の実施例２の要部拡大背面図
【図１３】本発明の実施例２の要部拡大背面図
【図１４】本発明の請求項３関連の眼鏡セット模式図
【図１５】本発明の請求項４関連の眼鏡セット模式図
【符号の説明】
１０                内掛けフレーム
１１、１２          内掛けフレームの左右フレーム
１３                内掛けフレームの弾性ブリッジ
１４，１５          内掛けフレームの両端部
１６，１７          内掛けフレームの係止用手段
２０                フロントフレーム
２１，２２          フロントフレーム両端部
２３，２４          係止させる為の手段
２５                フロントフレームブリッジ部
２６                フロントフレームブリッジ部の係止させる為の手段
【図１】
2008292967.tif 000003
【図２】
2008292967.tif 000004
【図３】
2008292967.tif 000005
【図４】
2008292967.tif 000006
【図５】
2008292967.tif 000007
【図６】
2008292967.tif 000008
【図７】
2008292967.tif 000009
【図８】
2008292967.tif 000010
【図９】
2008292967.tif 000011
【図１０】
2008292967.tif 000012
【図１１】
2008292967.tif 000013
【図１２】
2008292967.tif 000014
【図１３】
2008292967.tif 000015
【図１４】
2008292967.tif 000016
【図１５】
2008292967.tif 000017